(57)【要約】【課題】上半身を安定して支えることができる上半身マットレスを提供する。【解決手段】表面側に、一方向に伸長して凹部１１が形成された本体部１０を備えている。凹部１１は、一方向に伸長された底部１１Ａと、この底部１１Ａの両側に傾斜して設けられた一対の傾斜面１１Ｂとを有している。本体部１０の底部１１における厚みは、一方向の一方側よりも他方側の方が厚く構成されている。一方向の他方側を頭側にして上半身の後ろに配置することにより、上半身を両側から包み込むように安定して支えることができる。【選択図】図３
2014158570.tif 000002
【特許請求の範囲】
【請求項１】
上半身を支える上半身マットレスであって、
表面側に、一方向に伸長して凹部が形成された本体部を備え、
前記凹部は、一方向に伸長された底部と、この底部の両側に傾斜して設けられた一対の傾斜面とを有し、
前記本体部の前記底部における厚みは、一方向の一方側よりも他方側の方が厚い
ことを特徴とする上半身マットレス。
【請求項２】
前記本体部は、
裏面側に設けられ、一方向の一方側から他方側に向かい厚みが厚くなるように形成された基材部と、
表面側に設けられ、一方向に伸長されて中心側から側部側に向かい突出するように傾斜された一対の傾斜部を有し、前記基材部よりも柔らかい材料により構成された支持部と
を備えたことを特徴とする請求項１記載の上半身マットレス。
【請求項３】
前記凹部の長さは、７０ｃｍ以上１００ｃｍ以下であり、
前記傾斜面の片側の幅は、１５ｃｍ以上３５ｃｍ以下であり、
前記底部の幅は、０ｃｍよりも大きく１５ｃｍ以下であり、
前記凹部の深さは、８ｃｍ以上１６ｃｍ以下である
ことを特徴とする請求項１又は請求項２記載の上半身マットレス。
【請求項４】
前記本体部は、側部に持ち手を有することを特徴とする請求項１から請求項３のいずれか１に記載の上半身マットレス。
【請求項５】
更に、枕を備え、
この枕は、一方向に伸長された接続部材により、前記本体部の他方側に対して接続されている
ことを特徴とする請求項１から請求項４のいずれか１に記載の上半身マットレス。
【発明の詳細な説明】
【技術分野】
【０００１】
本発明は、上半身を支える上半身マットレスに関する。
【背景技術】
【０００２】
高齢者及び体に不自由がある人は、電動ベッド等を用い、ベッドの上半身側を起こして、上半身を起こした状態とすることがある。その際、人によっては、自分で体を支えることができず、姿勢が不安定となることがある。従来は、介護者が体を支えていたが、安定して体を支えることは難しく、介護対象者も体が楽ではないという問題があった。このような場合、安定して体を支えることができるものがあれば、体も楽で安全である。
【０００３】
なお、特許文献１には、長手方向の両側に凹部を設け、左右いずれの向きへの横臥姿勢へも移行させ易くしたマットレスが記載されている。しかし、本願発明とは具体的な構成及び目的が全く異なっている。
【先行技術文献】
【特許文献】
【０００４】
【特許文献１】特開２００７−１３６０４９号公報
【発明の概要】
【発明が解決しようとする課題】
【０００５】
本発明は、このような問題に基づきなされたものであり、上半身を安定して支えることができる上半身マットレスを提供することを目的とする。
【課題を解決するための手段】
【０００６】
本発明の上半身マットレスは、上半身を支えるものであり、表面側に、一方向に伸長して凹部が形成された本体部を備え、凹部は、一方向に伸長された底部と、この底部の両側に傾斜して設けられた一対の傾斜面とを有し、本体部の底部における厚みは、一方向の一方側よりも他方側の方が厚いものである。
【発明の効果】
【０００７】
本発明の上半身マットレスによれば、一方向に伸長された底部と、この底部の両側に傾斜して設けられた一対の傾斜面とを有する凹部が表面側に形成された本体部を備えるようにしたので、上半身の後ろに配置することにより、上半身を包み込むように安定して支えることができる。よって、例えば、電動のベッドなどで上半身側を起こした時に、上半身とベッドとの間に挿入することにより、上半身を安定して心地よく支えることができる。また、本体部の底部における厚みは、一方向の一方側よりも他方側の方を厚くするようにしたので、他方側を頭側にして、上半身の後ろに無理なく自然に挿入することができると共に、寝ている状態で上半身の下に挿入すれば、無理なく自然な形で腰よりも頭の位置を高くすることができる。よって、高齢者や体の不自由な人を楽な姿勢で支持することができると共に、健常者の場合も、胃酸又は胃の内容物が逆流することを防止することができ、かつ、心地よい寝心地を得ることができる。
【０００８】
更に、本体部の側部に持ち手を設けるようにすれば、介助者が介助対象者の上半身の後ろに本体部を入れ、持ち手を持って持ち上げることにより、介助対象者の姿勢を容易に変えることができる。
【０００９】
加えて、一方向に伸長された接続部材により本体部の他方側に対して接続された枕を備えるようにすれば、姿勢を起こした状態で上半身の後ろに本体部を配置しても、頭が当接する位置あたりに枕を保持することができる。
【図面の簡単な説明】
【００１０】
【図１】本発明の一実施の形態に係る上半身マットレスを表面側から見た構成を表す図である。
【図２】図１に示した上半身マットレスを側部側から見た構成を表す図である。
【図３】図１に示したＩ−Ｉ線に沿った端面図を表す図である。
【図４】図１に示した上半身マットレスの使用例を説明する概念図である。
【図５】本発明の変形例を表す図である。
【発明を実施するための形態】
【００１１】
以下、本発明の実施の形態について図面を参照して詳細に説明する。
【００１２】
図１は、本発明の一実施の形態に係る上半身マットレス１を表面側から見た構成を表すものである。図２は、図１に示した上半身マットレス１を側部側から見た構成を表すものである。図３は、図１に示したＩ−Ｉ線に沿った端面構造を表すものである。図４は、図１に示した上半身マットレス１をベッド２の上で使用する使用例を表す概念図である。この上半身マットレス１は、人の上半身Ｍを支えるものであり、上半身Ｍを支える本体部１０を備えている。本体部１０は、例えば、人の上半身Ｍの後ろに配置して用いられる。具体的には、例えば、ベッド２、敷き布団、一般のマットレス、又は、床などの上に配置し、これらと上半身Ｍとの間に挿入するようにして用いられる。
【００１３】
本体部１０の表面側には、一方向に伸長して凹部１１が形成されている。表面側というのは、上半身Ｍが当接する側であり、一方向というのは、上半身Ｍの伸長方向に対応する方向である。凹部１１は、一方向に伸長された底部１１Ａと、この底部１１Ａの両側に傾斜して設けられた一対の傾斜面１１Ｂとを有している。傾斜面１１Ｂは、底部１１Ａから一方向に沿った側部に向かって、突出するように傾斜されている。これにより、上半身Ｍを両側から包み込むように安定して支えることができるようになっている。傾斜面１１Ｂは、平面状でも曲面状でもよい。
【００１４】
凹部１１の一方向の長さＬは、例えば、７０ｃｍ以上１００ｃｍ以下であることが好ましく、７５ｃｍ以上９０ｃｍ以下であればより好ましい。短すぎると上半身Ｍを十分に支えることができず、長すぎると取扱い難くなるからである。凹部１１の深さＨは、例えば、８ｃｍ以上１６ｃｍ以下であることが好ましく、９ｃｍ以上１５ｃｍ以下であればより好ましい。浅すぎると上半身Ｍを両側から包み込む効果が小さくなり、深すぎると取扱い難くなるからである。なお、凹部１１の深さＨというのは、凹部１１の幅方向、すなわち一方向に対して垂直な方向において、両側の傾斜面１１Ｂの最も突出している部分を結んだ直線から底部１１Ａまでの距離である。
【００１５】
傾斜面１１Ｂの片側の幅Ｗ１は、例えば、１５ｃｍ以上３５ｃｍ以下であることが好ましく、２０ｃｍ以上３０ｃｍ以下であればより好ましい。短すぎると上半身Ｍを十分に支えることができず、長すぎると取扱い難くなるからである。なお、傾斜面１１Ｂの幅Ｗ１というのは、傾斜面１１Ｂの面に沿った幅方向の長さではなく、本体部１０の裏面に沿った傾斜面１１Ｂの幅方向に対応する長さのことである。
【００１６】
底部１１Ａは、幅のない線状とされていてもよいが、幅を有していた方が好ましい。上半身Ｍを両側から自然と包み込むことができるからである。幅を有する場合、底部１１Ａは平面状でも曲面状でもよく、底部１１Ａの幅Ｗ２は、例えば、０ｃｍよりも大きく１５ｃｍ以下であることが好ましく、３ｃｍ以上１２ｃｍ以下であればより好ましい。狭すぎても広すぎても上半身Ｍを両側から包み込む効果が小さくなってしまうからである。底部１１Ａの幅Ｗ２というのは、本体部１０の裏面に沿った底部１１Ａの幅方向に対応する長さのことである。
【００１７】
本体部１０の底部１１における厚みは、一方向の一方側よりも他方側の方が厚くなるように構成されている。上半身Ｍの後ろに配置したときに、厚みの薄い一方側を腰側とすれば、無理なく自然に上半身Ｍを支えることができると共に、寝た状態で上半身Ｍの下に挿入すれば、無理なく自然な形で腰よりも頭の位置を高くすることができるからである。底部１１Ａにおける一方側の厚みＴ１は、例えば、０．５ｃｍ以上５ｃｍ以下、更には１ｃｍ以上４ｃｍ以下であることが好ましく、底部１１Ａにおける他方側の厚みＴ２は、例えば、５ｃｍ以上１０ｃｍ以下、更には６ｃｍ以上９ｃｍ以下であることが好ましい。薄すぎると強度が低下してしまい、厚すぎると上半身Ｍの後ろに配置した時に違和感が生じてしまうからである。
【００１８】
また、本体部１０は、例えば、裏面側に設けられた基材部１２と、表面側に設けられた支持部１３とを備えており、これらを接合することにより構成されていることが好ましい。基材部１２は、本体部１０を支える基礎となるものであり、合成ラテックスなどのある程度の硬さを有する材料により構成されることが好ましい。基材部１２は、例えば、板状であり、一方向の一方側から他方側に向かい厚みが厚くなるように形成されている。これにより、本体部１０の厚みが調整されるようになっている。
【００１９】
支持部１３は、上半身Ｍを包み込むように支えるためのものであり、基材部１２よりも柔らかい材料により構成されることが好ましい。このように本体部１０を硬さの異なる基材部１２と支持部１３とを組み合わせることにより構成するようにすれば、強度を保持しつつ、上半身Ｍを柔らかく包み込むように支持することができるので好ましい。支持部１３を構成する材料としては、例えば、発泡ウレタンが好ましく挙げられる。支持部１３は、例えば、一方向に伸長されて中心側から側部側に向かい突出するように傾斜された一対の傾斜部１３Ａを有している。この傾斜部１３Ａの中心側の面に対応して凹部１１を構成する傾斜面１１Ｂが形成されている。
【００２０】
本体部１０の表面側の側部と一方側との角部１４、及び、表面側の側部と他方側との角部１５は、面取りがされていることが好ましい。取り扱いを容易とするためである。また、本体部１０の側部には、１又は複数の持ち手１６が取り付けられていることが好ましい。介助対象者が、例えば、ベッド２の上半身側を起こし上半身Ｍとベッド２との間に本体部１０を挿入して座っている状態から、ベッド２の端に横向きに座るように姿勢を変える際に、介助者が、本体部１０の持ち手１６を持って、介助対象者が横向きにとなるように本体部１０を引っ張って回転させることにより、介助対象者が自力で姿勢を変えることを容易に補助することができるからである。
【００２１】
更に、この上半身マットレス１は、例えば、枕２０を備えていることが好ましい。枕２０は、例えば、一方向に伸長された帯状の接続部材２１により、本体部１０の他方側に対して接続されている。姿勢を起こした状態で上半身Ｍの後ろに本体部１０を配置しても、頭が当接する位置あたりに枕２０を保持することができるからである。また、接続部材２１の長さを調節することにより枕２０の位置を調節する長さ調節部材２２が設けられていることが好ましい。長さ調節部材２２は、例えば、接続部材２１の表面側に取り付けられた面状テープにより構成することが好ましい。例えば、枕２０の位置を調節し、余った接続部材２１を本体部１０の裏面側に折り曲げ、接続部材２１の表面に設けられた長さ調節部材２２を本体部１０に接着させることにより、枕２０の位置を固定することができるようになっている。なお、長さ調節部材２２は、図１において網掛けを付して示している。
【００２２】
この上半身マットレス１は、例えば、図４（Ａ）に示したように、ベッド２の上半身側を起こして上半身Ｍを起こした状態とした時に、上半身Ｍとベッド２との間に一方向の一方側を下にして挿入して用いる。これにより、上半身Ｍは、表面側に設けられた凹部１１により包み込まれるように安定して支えられるので、上半身Ｍを起こしても、安定して安全に姿勢を保持することができる。
【００２３】
また、この上半身マットレス１は、例えば、図４（Ｂ）に示したように、体を横たわらせて寝る際に、上半身Ｍの下に挿入して用いることもできる。これにより、無理なく自然な形で頭の位置を腰の位置よりも高くすることができ、楽な姿勢で心地よい寝心地を得ることができる。
【００２４】
このように本実施の形態によれば、一方向に伸長された底部１１Ａと、この底部１１Ａの両側に傾斜して設けられた一対の傾斜面１１Ｂとを有する凹部１１が表面側に形成された本体部１０を備えるようにしたので、上半身Ｍの後ろに配置することにより、上半身Ｍを包み込むように安定して支えることができる。よって、例えば、電動のベッド２などで上半身側を起こした時に、上半身Ｍとベッド２との間に挿入することにより、上半身Ｍを安定して心地よく支えることができる。また、本体部１０の底部１１Ａにおける厚みは、一方向の一方側よりも他方側の方を厚くするようにしたので、他方側を頭側にして、上半身Ｍの後ろに無理なく自然に挿入することができると共に、寝ている状態で上半身Ｍの下に挿入すれば、無理なく自然な形で腰よりも頭の位置を高くすることができる。よって、高齢者や体の不自由な人を楽な姿勢で支持することができると共に、健常者の場合も、胃酸又は胃の内容物が逆流することを防止することができ、かつ、心地よい寝心地を得ることができる。
【００２５】
更に、本体部１０の側部に持ち手１６を設けるようにすれば、介助者が介助対象者の上半身Ｍの後ろに本体部１０を入れ、持ち手１６を持って持ち上げることにより、介助対象者の姿勢を容易に変えることができる。
【００２６】
加えて、一方向に伸長された接続部材２１により本体部１０の他方側に対して接続された枕２０を備えるようにすれば、姿勢を起こした状態で上半身Ｍの後ろに本体部１０を配置しても、頭が当接する位置あたりに枕２０を保持することができる。
【００２７】
以上、実施の形態を挙げて本発明を説明したが、本発明は上記実施の形態に限定されるものではなく、種々変形可能である。例えば、上記実施の形態では、本体部１０が、裏面側に設けられた基材部１２と、表面側に設けられた支持部１３とを備える場合について説明したが、基材部１２及び支持部１３は、単一の材料により構成しても、複数の材料により構成してもよい。
【００２８】
例えば、図５に示したように、基材部１２を複数の層構造とし、支持部１３の側の中間層１２Ａを裏面側の裏面層１２Ｂよりも柔らかい材料により構成し、裏面側から表面側に向かって順に硬さが柔らかくなるように構成してもよい。また、例えば、図５に示したように、支持部１３の底部１１に対応する底部対応部１３Ｂを傾斜部１３Ａよりも柔らかい材料により構成し、背骨を柔らかく保護するようにしてもよい。更に、例えば、図５に示したように、支持部１３の表面側に、基材部１２の側よりも柔らかい材料よりなる表面層１３Ｃを設け、表面の当たりを柔らかくするようにしてもよい。
【００２９】
加えて、上記実施の形態では、各構成要素について具体的に説明したが、全ての構成要素を備えていなくてもよく、また、他の構成要素を備えていてもよい。
【符号の説明】
【００３０】
１…上半身マットレス、１０…本体部、１１…凹部、１１Ａ…底部、１１Ｂ…傾斜面、１２…基材部、１２Ａ…中間層、１２Ｂ…裏面層、１３…支持部、１３Ａ…傾斜部、１３Ｂ…底部対応部、１３Ｃ…表面層、１４，１５…角部、１６…持ち手、２０…枕、２１…接続部材、２２…長さ調整部材、Ｌ…凹部の長さ、Ｈ…凹部の深さ、Ｗ１…傾斜面の幅、Ｗ２…底部の幅、Ｔ１…底部における一方側の厚み、Ｔ２…底部における他方側の厚み
【図１】
2014158570.tif 000003
【図２】
2014158570.tif 000004
【図３】
2014158570.tif 000005
【図４】
2014158570.tif 000006
【図５】
2014158570.tif 000007